(57)【要約】【課題】吊子を用いずに、屋根板の位置決めが容易な菱葺き屋根板及びその屋根板を用いた屋根構造並びに葺き方法を提供する。【解決手段】菱形形状の右角部１Ｒを切り欠いた切欠辺４１を有する化粧板部１と、化粧板部１の右下辺１Ｒｄから化粧板部１の背面側であり、化粧板部１の左上辺１Ｒｕ方向に折曲がる右折曲片２１と、右折曲片２１から化粧板部１の側とは反対側であり、化粧板部１の右下辺１Ｒｄ方向に折り返す右折返片２２とを備える右係止部２と、化粧板部１の左下辺１Ｌｕから化粧板部１の背面側であり、化粧板部１の右上辺１Ｒｕ方向に折曲がる左折曲片３１と、左折曲片３１から化粧板部１の側とは反対側であり、化粧板部１の左下辺１Ｌｄ方向に折り返す左折返片とを備える左係止部３と、切欠辺４１を成す化粧板部１と右折曲片２１の右縁部２１１とから構成される係止溝部４とを備える。【選択図】図２
2017014826.tif 000002
【特許請求の範囲】
【請求項１】
菱形形状の右角部を切り欠いた切欠辺を有する化粧板部と、
前記化粧板部の右下辺から前記化粧板部の背面側であり、前記化粧板部の左上辺方向に折曲がる右折曲片と、前記右折曲片から前記化粧板部の側とは反対側であり、前記化粧板部の右下辺方向に折り返す右折返片とを備える右係止部と、
前記化粧板部の左下辺から前記化粧板部の背面側であり、前記化粧板部の右上辺方向に折曲がる左折曲片と、前記左折曲片から前記化粧板部の側とは反対側であり、前記化粧板部の左下辺方向に折り返す左折返片とを備える左係止部と、
前記切欠辺を成す前記化粧板部と前記右折曲片の右縁部とから構成される係止溝部と、を備える菱葺き用の屋根板。
【請求項２】
前記右折曲片の右上縁部は前記切欠辺の長さと方向が等しい請求項１に記載の菱葺き屋根材。
【請求項３】
前記切欠辺は前記化粧板部の上角部から下角部に引いた対角線と平行な平行切欠辺である請求項２に記載の屋根板。
【請求項４】
前記右折返片が前記右折曲片から折り返して形成される右折返辺は前記右下辺と平行であり、
前記左折返片が前記左折曲片から折り返して形成される左折返辺は前記左下辺と平行である請求項１〜３のいずれか一項に記載の屋根板。
【請求項５】
前記切欠辺は前記化粧板部の上角部から下角部に引いた対角線と平行な平行切欠辺であり、
前記右折返辺と前記右下辺の間の前記平行切欠辺の方向における間隔は前記切欠辺の長さに等しく、
前記左折返辺と前記左下辺の間の前記平行切欠辺の方向における間隔は前記切欠辺の長さに等しい請求項４に記載の屋根板。
【請求項６】
前記左折返片の左上縁部と前記左折曲片の左上縁部は、前記化粧板部の化粧面の法線方向から見る平面視で、前記化粧板部の左上辺の延長線上で互いに重なる請求項１〜５のいずれか一項に記載の屋根板。
【請求項７】
前記化粧板部の化粧面の法線方向から見る平面視で、前記右折返片は前記右下辺から突出し、前記左折返片は前記左下辺から突出する請求項６に記載の屋根板。
【請求項８】
前記右折返片は、前記右折返片の前記化粧板部の側の表面に前記右折返片の右縁側から左縁側に雨水を導くための右溝を備え、
前記左折返片は、前記左折返片の前記化粧板部の側の表面に前記左折返片の左縁側から右縁側に雨水を導くための左溝を備える請求項１〜７のいずれか一項に記載の屋根板。
【請求項９】
前記右折返片は、右下縁部に前記化粧板部の側の表面から突出する第一突条を備え、前記右折返片の前記化粧板部の側の表面と前記第一突条との角部が前記右溝を構成し、
前記左折返片は、左下縁部に前記化粧板部の側の表面から突出する第二突条を備え、前記左折返片の前記化粧板部の側の表面と前記第二突条との角部が前記左溝を構成する請求項８に記載の屋根板。
【請求項１０】
前記右折曲片の左上縁部は前記化粧板部の側に突出する第三突条を成し、前記左折曲片の右上縁部は前記化粧板部の側に突出する第四突条を成す請求項１〜９のいずれか一項に記載の屋根板。
【請求項１１】
請求項１〜１０のいずれか一項に記載の第一屋根板及び第二屋根板を備え、
前記第一屋根板の前記係止溝部に前記第二屋根板の前記化粧板部の左角部が係止する屋根構造。
【請求項１２】
前記第一屋根板の前記切欠辺を成す前記化粧板部と前記右折曲片の右上縁部との隙間に前記第二屋根板の前記化粧板部の左角部が位置する請求項１１に記載の屋根構造。
【請求項１３】
前記第一屋根板の前記右折返片が前記右折曲片から折り返される屈曲部に、前記第二屋根板の前記左折返片が当接し、かつ、
前記第一屋根板の前記化粧板部の右下辺から前記化粧板部の背面側に折り曲がる屈曲部に、前記第二屋根板の前記化粧板部の左下辺から前記化粧板部の背面側に折り曲がる屈曲部が当接する請求項１２に記載の屋根構造。
【請求項１４】
請求項１〜１０のいずれか一項に記載の第三屋根板を更に備え、
前記第一屋根板の前記右係止部に前記第三屋根板の前記化粧板部の左上縁部が係止し、前記第二屋根板の前記左係止部に前記第三屋根板の前記化粧板部の右上縁部が係止する請求項１１〜１３のいずれか一項に記載の屋根構造。
【請求項１５】
前記第一屋根板の前記右折曲片と前記右折返片との隙間に前記第三屋根板の前記化粧板部の左上縁部が位置し、
前記第二屋根板の前記左折曲片と前記左折返片との隙間に前記第三屋根板の前記化粧板部の右上縁部が位置する請求項１４に記載の屋根構造。
【請求項１６】
前記第一屋根板の前記右折返片が前記右折曲片から折り返えす屈曲部に、前記第三屋根板の前記化粧板部の左上縁部が当接し、
前記第二屋根板の前記左折返片が前記左折曲片から折り返えす屈曲部に、前記第三屋根板の前記化粧板部の右上縁部が当接する請求項１５に記載の屋根構造。
【請求項１７】
請求項１〜１０のいずれか一項に記載の第四屋根板を更に備え、
前記第四屋根板の前記左係止部に前記第一屋根板の前記化粧板部の右上縁部が係止し、前記第四屋根板の前記右係止部に前記第二屋根板の前記化粧板部の左上縁部が係止する請求項１１〜１６のいずれか一項に記載の屋根構造。
【請求項１８】
前記第四屋根板の前記左折曲片と前記左折返片との隙間に前記第一屋根板の前記化粧板部の右上縁部が位置し、前記第四屋根板の前記左折返片の右下縁部が前記第一屋根板の前記右折曲片と前記第一屋根板の前記化粧板部との隙間に位置し、
前記第四屋根板の前記右折曲片と前記右折返片との隙間に前記第二屋根板の前記化粧板部の左上縁部が位置し、前記第四屋根板の前記右折返片の左下縁部が前記第二屋根板の前記左折曲片と前記第一屋根板の前記化粧板部との隙間に位置する請求項１７に記載の屋根構造。
【請求項１９】
前記第四屋根板の前記左折返片が前記左折曲片から折り返えす屈曲部に前記第一屋根板の前記化粧板部の右上縁部が当接し、前記第四屋根板の前記左折返片の右下縁部が前記第一屋根板の前記化粧板部の右下辺から前記化粧板部の背面側に折り曲がる屈曲部に当接し、かつ、
前記第四屋根板の前記右折返片が前記右折曲片から折り返えす屈曲部に前記第二屋根板の前記化粧板部の左上縁部が当接し、前記第四屋根板の前記右折返片の左下縁部が前記第一屋根板の前記化粧板部の左下辺から前記化粧板部の背面側に折曲がる屈曲部に当接する請求項１８に記載の屋根構造。
【請求項２０】
請求項１〜１０のいずれか一項に記載の第一〜第三屋根板を屋根の野地面に設置する屋根板の葺き方法であって、
前記第一屋根板の前記化粧板部の左上辺及び右上辺を前記屋根の棟方向に、前記化粧板部の左下辺及び右下辺を前記屋根の軒先方向に向けて前記第一屋根板を前記野地面に設置し、
前記第一屋根板の前記係止溝部に前記第二屋根板の前記化粧板部の左角部を係止して前記第二屋根板を前記野地面に設置し、
前記第一屋根板の前記右係止部に前記第三屋根板の前記化粧板部の左上縁部を係止し、前記第二屋根板の前記左係止部に前記第三屋根板の前記化粧板部の右上縁部を係止して、前記第三屋根板を前記野地面に設置する屋根板の葺き方法。
【発明の詳細な説明】
【技術分野】
【０００１】
本発明は、菱葺き屋根板及びその屋根板を用いた屋根構造並びに葺き方法に関する。
【背景技術】
【０００２】
いわゆる菱葺き屋根板は、上段の屋根板の一部が下段の屋根板の化粧面に被さるように屋根に葺かれるものである。このため、表側にかかる雨水だけでなく、裏側に出来る結露も化粧面の裏側より表側に流すことができる。全体の外観形状としては、屋根板の四頂点が軒または棟との関係で垂直／平行に配され、各屋根板がほぼ菱形に見えるようになる。
【０００３】
菱葺き屋根を葺く際は、屋根板の上表側のハゼに接合する他の屋根板の下裏側のハゼを上から噛み合わせるため、軒先から棟に向かって順に屋根板を取り付ける作業をする。このため、屋根の傾斜に対して下方（低所）を向きながら棟（高所）に向かって後ずさりをしながらの作業をすることになり、非常に危険であった。
【０００４】
そこで、従来、棟から軒先に下降するようにして屋根葺き工事ができる屋根板が開示されている（特許文献１）。これによれば、下方二辺の裏面に折返を設け、上方二辺の裏面に係止片を有する折返しを設けた菱形の板面からなる屋根板１と、上方二辺の裏面に係止片を有しない折返を有する菱形の屋根板１ａと、上片裏面及び下方二辺の裏面に折返を有する三角形板面からなる端板材７とを有し、屋根板と係合同固する延長部を有する吊子を利用し、屋根板を接合連設する。
【０００５】
この先行技術は、屋根板を接合する際に吊子を用いる。接合される屋根板の位置は、吊子によって定まる。したがって、吊子を所定の位置に正確に設置する作業が必要となり、作業の迅速性に欠けるところがある。
【先行技術文献】
【特許文献】
【０００６】
【特許文献１】特開２０００−５４５６７号公報（要約）
【発明の概要】
【発明が解決しようとする課題】
【０００７】
そこで、本発明の課題は、菱葺き屋根板の葺き作業において、吊子を用いずに、屋根板の位置決めが容易な菱葺き屋根板及びその屋根板を用いた屋根構造並びに葺き方法を提供することにある。
【課題を解決するための手段】
【０００８】
上述した課題を解決するため、本発明に係る菱葺き屋根板は、菱形形状の右角部を切り欠いた切欠辺を有する化粧板部と、前記化粧板部の右下辺から前記化粧板部の背面側であり、前記化粧板部の左上辺方向に折曲がる右折曲片と、前記右折曲片から前記化粧板部の側とは反対側であり、前記化粧板部の右下辺方向に折り返す右折返片とを備える右係止部と、前記化粧板部の左下辺から前記化粧板部の背面側であり、前記化粧板部の右上辺方向に折曲がる左折曲片と、前記左折曲片から前記化粧板部の側とは反対側であり、前記化粧板部の左下辺方向に折り返す左折返片とを備える左係止部と、前記切欠辺を成す前記化粧板部と前記右折曲片の右縁部とから構成される係止溝部と、を備えている。
【０００９】
また、本発明に係る菱葺き屋根板は、前記屋根板において、前記右折曲片の右上縁部は前記切欠辺の長さと方向が等しいことを特徴とする。
【００１０】
また、本発明に係る菱葺き屋根板は、前記屋根板において、前記切欠辺は前記化粧板部の上角部から下角部に引いた対角線と平行な平行切欠辺であることを特徴とする。
【００１１】
また、本発明に係る菱葺き屋根板は、前記屋根板において、前記右折返片が前記右折曲片から折り返して形成される右折返辺は前記右下辺と平行であり、前記左折返片が前記左折曲片から折り返して形成される左折返辺は前記左下辺と平行であることを特徴とする。
【００１２】
また、本発明に係る菱葺き屋根板は、前記屋根板において、前記右折返辺と前記右下辺の間の前記平行切欠辺の方向における間隔は前記切欠辺の長さに等しく、前記左折返辺と前記左下辺の間の前記平行切欠辺の方向における間隔は前記切欠辺の長さに等しいことを特徴とする。
【００１３】
また、本発明に係る菱葺き屋根板は、前記屋根板において、前記左折返片の左上縁部と前記左折曲片の左上縁部は、前記化粧板部の化粧面の法線方向から見る平面視で、前記化粧板部の左上辺の延長線上で互いに重なることを特徴とする。
【００１４】
また、本発明に係る菱葺き屋根板は、前記屋根板において、前記化粧板部の化粧面の法線方向から見る平面視で、前記右折返片は前記右下辺から突出し、前記左折返片は前記左下辺から突出することを特徴とする。
【００１５】
また、本発明に係る菱葺き屋根板は、前記屋根板において、前記右折返片は、前記右折返片の前記化粧板部の側の表面に前記右折返片の右縁側から左縁側に雨水を導くための右溝を備え、
前記左折返片は、前記左折返片の前記化粧板部の側の表面に前記左折返片の左縁側から右縁側に雨水を導くための左溝を備えることを特徴とする。
【００１６】
また、本発明に係る菱葺き屋根板は、前記屋根板において、前記右折返片は、右下縁部に前記化粧板部の側の表面から突出する第一突条を備え、前記右折返片の前記化粧板部の側の表面と前記第一突条との角部が前記右溝を構成し、前記左折返片は、左下縁部に前記化粧板部の側の表面から突出する第二突条を備え、前記左折返片の前記化粧板部の側の表面と前記第二突条との角部が前記左溝を構成することを特徴とする。
【００１７】
また、本発明に係る菱葺き屋根板は、前記屋根板において、前記右折曲片の左上縁部は前記化粧板部の側に突出する第三突条を成し、前記左折曲片の右上縁部は前記化粧板部の側に突出する第四突条を成すことを特徴とする。
【００１８】
また、本発明に係る屋根構造は、上記構成の第一屋根板及び第二屋根板を備え、前記第一屋根板の前記係止溝部に前記第二屋根板の前記化粧板部の左角部が係止することを特徴とする。
【００１９】
また、本発明に係る屋根構造は、上記の屋根構造において、前記第一屋根板の前記切欠辺を成す前記化粧板部と前記右折曲片の右上縁部との隙間に前記第二屋根板の前記化粧板部の左角部が位置する構造であることを特徴とする。
【００２０】
また、本発明に係る屋根構造は、上記の屋根構造において、前記第一屋根板の前記右折返片が前記右折曲片から折り返される屈曲部に、前記第二屋根板の前記左折返片が当接し、かつ、前記第一屋根板の前記化粧板部の右下辺から前記化粧板部の背面側に折り曲がる屈曲部に、前記第二屋根板の前記化粧板部の左下辺から前記化粧板部の背面側に折り曲がる屈曲部が当接する構造であることを特徴とする。
【００２１】
また、本発明に係る屋根構造は、上記構成の第三屋根板を更に備え、前記第一屋根板の前記右係止部に前記第三屋根板の前記化粧板部の左上縁部が係止し、前記第二屋根板の前記左係止部に前記第三屋根板の前記化粧板部の右上縁部が係止することを特徴とする。
【００２２】
また、本発明に係る屋根構造は、上記の屋根構造において、前記第一屋根板の前記右折曲片と前記右折返片との隙間に前記第三屋根板の前記化粧板部の左上縁部が位置し、前記第二屋根板の前記左折曲片と前記左折返片との隙間に前記第三屋根板の前記化粧板部の右上縁部が位置する構造であることを特徴とする。
【００２３】
また、本発明に係る屋根構造は、上記の屋根構造において、さらに、前記第一屋根板の前記右折返片が前記右折曲片から折り返えす屈曲部に、前記第三屋根板の前記化粧板部の左上縁部が当接し、前記第二屋根板の前記左折返片が前記左折曲片から折り返えす屈曲部に、前記第三屋根板の前記化粧板部の右上縁部が当接する構造であることを特徴とする。
【００２４】
また、本発明に係る屋根構造は、上記構成の第四屋根板を更に備え、前記第四屋根板の前記左係止部に前記第一屋根板の前記化粧板部の右上縁部が係止し、前記第四屋根板の前記右係止部に前記第二屋根板の前記化粧板部の左上縁部が係止することを特徴とする。
【００２５】
また、本発明に係る屋根構造は、上記屋根構造において、前記第四屋根板の前記左折曲片と前記左折返片との隙間に前記第一屋根板の前記化粧板部の右上縁部が位置し、前記第四屋根板の前記左折返片の右下縁部が前記第一屋根板の前記右折曲片と前記第一屋根板の前記化粧板部との隙間に位置し、前記第四屋根板の前記右折曲片と前記右折返片との隙間に前記第二屋根板の前記化粧板部の左上縁部が位置し、前記第四屋根板の前記右折返片の左下縁部が前記第二屋根板の前記左折曲片と前記第一屋根板の前記化粧板部との隙間に位置する構造であることを特徴とする。
【００２６】
また、本発明に係る屋根構造は、上記屋根構造において、前記第四屋根板の前記左折返片が前記左折曲片から折り返えす屈曲部に前記第一屋根板の前記化粧板部の右上縁部が当接し、前記第四屋根板の前記左折返片の右下縁部が前記第一屋根板の前記化粧板部の右下辺から前記化粧板部の背面側に折り曲がる屈曲部に当接し、かつ、前記第四屋根板の前記右折返片が前記右折曲片から折り返えす屈曲部に前記第二屋根板の前記化粧板部の左上縁部が当接し、前記第四屋根板の前記右折返片の左下縁部が前記第一屋根板の前記化粧板部の左下辺から前記化粧板部の背面側に折曲がる屈曲部に当接する構造であることを特徴とする。
【００２７】
さらに、本発明に係る屋根板の葺き方法は、上記構成の第一〜第三屋根板を屋根の野地面に設置する屋根板の葺き方法であって、前記第一屋根板の前記化粧板部の左上辺及び右上辺を前記屋根の棟方向に、前記化粧板部の左下辺及び右下辺を前記屋根の軒先方向に向けて前記第一屋根板を前記野地面に設置し、前記第一屋根板の前記係止溝部に前記第二屋根板の前記化粧板部の左角部を係止して前記第二屋根板を前記野地面に設置し、前記第一屋根板の前記右係止部に前記第三屋根板の前記化粧板部の左上縁部を係止し、前記第二屋根板の前記左係止部に前記第三屋根板の前記化粧板部の右上縁部を係止して、前記第三屋根板を前記野地面に設置することを特徴とする。
【発明の効果】
【００２８】
本発明によれば、菱葺き屋根板の葺き作業において、吊子を用いずに、屋根板の位置決めが容易な菱葺き屋根板及びその屋根板を用いた屋根構造並びに葺き方法を提供することができる。
【図面の簡単な説明】
【００２９】
【図１】本発明の第一実施形態に係る屋根板の展開図である。
【図２】本発明の第一実施形態に係る屋根板の正面図である。
【図３】本発明の第一実施形態に係る屋根板の背面図である。
【図４】（ａ）は、図２中のＡ−Ａ線断面図であり、（ｂ）は、図２中のＢ−Ｂ線断面図である。
【図５】本発明の第一の実施形態に係る屋根板を図２の正面図の右方向から見た斜視図である。
【図６】本発明の第一の実施形態に係る屋根材を使用して建築物の屋根を葺き終えた状態を示した図である。
【図７】本発明の第一実施形態に係る屋根板を下方向から見た斜視図である。
【図８】第一屋根板と第二屋根板とが係止される状態を示す斜視図である。
【図９】図８中のＣ−Ｃ線断面図である。第一屋根板と第二屋根板とが係止された屋根構造の一部を示す。
【図１０】第三屋根板が第一屋根板及び第二屋根板に係止される状態を示す斜視図である。
【図１１】図１０中のＤ−Ｄ線断面図である。第三屋根板が係止された屋根構造の一部を示す。
【図１２】第一屋根板及び第二屋根板が第四屋根板に係止される状態を示す斜視図である。
【図１３】図１２中のＥ−Ｅ線断面図である。第一屋根板及び第二屋根板が第四屋根板と係止された屋根構造の一部を示す。
【図１４】切欠辺から浸入する雨水の流れを示す図である。
【図１５】化粧板部から左係止部及び右係止部に浸入する雨水の流れを示す図である。
【図１６】（ａ）は図４（ａ）に第三突条を設けた例を示す部分拡大図であり、（ｂ）は図４（ｂ）に第四突条を設けた例を示す部分拡大図である。
【図１７】（ａ）は図４（ａ）に第三突条を設けた別の例を示す部分拡大図であり、（ｂ）は図４（ｂ）に第四突条を設けた別の例を示す部分拡大図である。
【図１８】水返しを設けた本発明の第二実施形態に係る屋根板の正面図である。
【図１９】水返しを設けた本発明の第二実施形態に係る屋根板の展開図である。
【発明を実施するための形態】
【００３０】
以下、図１〜図１９を参照して、本発明にかかる菱葺き屋根板、その屋根板を用いた屋根構造及びその屋根板の葺き方法について説明する。
【００３１】
まず、図１〜図５を参照して、本発明の第一実施形態に係る菱葺き屋根板について説明する。なお、本発明はこの実施形態に限定されるものではない。
【００３２】
図１は、本発明に係る菱葺き屋根板の展開図である。この屋根板は、一枚の正方形の金属板１００のイ部及びロ部を切り欠き、６か所の破線の位置ａ，ｂ，ｃ，ａ’，ｂ’，ｃ’で折り曲げ、又は折り返して形成される。後述する化粧板部１、右係止部２を構成する右折曲片２１及び右折返片２２、左係止部３を構成する左折曲片３１及び左折返片３２、係止溝部４などはこの一枚の金属板１００で構成される。ここで、菱葺き屋根板は、正方形ではない金属板を用いて扁平又は縦長の菱形状の化粧板部を備えた屋根板を構成することもできる。
【００３３】
なお、本金属板１００を折り曲げたり、折り返したりする際は、屋根材に可撓性があれば、鋭角的にＶ字状に、または湾曲面を形成するようにＵ字状に折り曲げ等してよい。いずれの場合でも、折り曲げ等された板体間の隙間に挿入された屋根板の一部が挟持される状態となるのが望ましい。図面では各構成部分の位置関係を把握し易くするためにＵ字状に折り曲げている。なお、折り曲げ等の作業は、手作業の他、折り曲げ機を用いることもできる。
【００３４】
イ部は、金属板１００の右上辺を二等辺三角形状に切り欠いて形成される。すなわち４頂点を垂直／平行にした状態で、まず、金属板１００の上下方向の対角線（以下、「上下対角線」という。）と平行に、金属板１００の右上辺の中央付近より縦方向に切り込みイ’を設ける。さらに金属板１００の左右方向の対角線（以下、「左右対角線」という。）と平行に、横方向に上記切り込みイ’の線と直角に、かつ切り込みイ’と同じ長さで切り込みイ’’を設けて切り欠く。なお、切り込みイ’、イ’’は湾曲していてもよい。
【００３５】
ロ部は、金属板１００の下部を切り欠いて形成される。切り欠く際は、イ部を切り欠いた後、イ部の二等辺三角形の頂点より伸ばした、金属板１００の左上辺と平行な仮想線が上下対角線と交わる位置ロ’を決定する。次に、その位置ロ’を目指して、右下辺及び左下辺よりそれぞれ各辺に直角な切り込みを入れて正方形状に切り欠く。次に、位置ロ’から左右に切り込みイ’と同じ幅で伸ばした、左右対角線と平行な線と、その線の両端部から上下対角線と平行な線を引き、その線に沿って切り欠く。
【００３６】
なお、イ部とロ部とを形成する以上の手順は一例である。いずれの部位も異なる手順やプレス加工を用いて切り欠くことができる。
【００３７】
破線ａ，ｂ，ｃは全て金属板１００の左上辺と平行な線である。破線ａはイ部の二等辺三角形の頂点より位置ロ’までの線である。破線ｂは破線ａを切り込みイ’’の長さだけ右方向に平行に移動した位置にある。破線ｃは金属板１００の右下辺からわずかに内側に位置する。破線ａ’，ｂ’及びｃ’は破線ａ，ｂ及びｃと上下対角線で線対称の位置にある。なお、破線ａ’は、イ部で欠けていない分だけ破線ａより長い。
【００３８】
金属板１００の材料は、銅、スチール、アルミニウム、ステンレス、チタンなど屋根板に用いる公知の材料からなる。また、本屋根板は、図１に示す展開状態から構成せずに、以下の図２、図３等に示す構成を３Ｄプリンターなどによって直接的に構成してもよい。本屋根板は、可撓性がある合成樹脂材で形成することも可能である。
【００３９】
ここで、以下の本発明に係る菱葺き屋根板の説明上、「本屋根板」と「他の屋根板」とは全て同じ形状構成からなる屋根板を意味している。また、以下の説明において、桁方向に本屋根板を連結するに際しては、右側方向へ連結させる場合を述べているが、左側方向へ連結させることも可能である。この場合、上述の図１におけるイ部を本屋根板の図１での上下方向の対角線の線対称の位置に形成し、折り曲げる位置も対称としたもので本屋根板を構成する。その場合、本屋根板及び屋根構造並びに屋根の葺き方法の説明は、右側方向へ他の屋根板を連結させる場合の各部位の名称の左右を入れ替えた状態の説明となるため省略する。
【００４０】
本屋根板は、図２、図３に示すように、化粧板部１と、右折曲片２１と右折返片２２とを備えた右係止部２と、左折曲片３１と左折返片３２とを備えた左係止部３と、係止溝部４とを備えている。これにより、係止溝部４が桁方向の他の屋根板、右折曲片２１と右折返片２２が右下方向の他の屋根板、左折曲片３１と左折返片３２が左下方向の他の屋根板のそれぞれの位置決めを容易にするとともに、雨水は、右折曲片２１、右折返片２２、左折曲片３１及び左折返片３２の各化粧板部１の側の表面を流れて、路地面に流れ出るのを防止できる。
【００４１】
ここで、雨水とは、化粧板部１の表面（以下、「化粧面」という。）１Ｆにかかる雨などの水の他、化粧板部１の背面側に付着する結露など本屋根板に接する全ての液体を言う。また、係止とは、何らかの形で対象物同士が係って固定される状態をいう。具体的には、隙間に挿入して位置する場合、接着剤を用いて互いに固定する場合、一方を他方へ嵌め合わせて固定する場合、雄雌の爪で固定する場合、これらを併用する場合など各種の固定手段を意味する。以下の説明では、係止を隙間に挿入して位置させることを言うがこれに限られない。
【００４２】
化粧板部１は、図１、図２に示すように、菱形形状の右角部１Ｒを切り欠いた切欠辺４１を有している。この切欠辺４１は、図１の切り込みイ’部分に相当する。切欠辺４１については、係止溝部４で説明する。化粧板部１は、図２に示すように、右下辺１Ｒｄ、左下辺１Ｌｄ、右上辺１Ｒｕ及び左上辺１Ｌｕを有している。
【００４３】
右係止部２は、図１、図２、図３、図４（ａ）に示すように、他の屋根板を、化粧面１Ｆの法線方向から見る平面視（以下、「平面視」という。）で右方向（以下、「右方向」という。）の下側より係止する部分である。図１に示すように、右係止部２は、ａ線で折り曲げられる右折曲片２１と、ｂ線で折り返される右折返片２２とを備えている。右下方向から係止される他の屋根板は、この右折曲片２１と右折返片２２とが法線方向で折り重なっている図４（ａ）に示す隙間２００に化粧板部１の左上辺１Ｌｕを挿入して位置させる。
【００４４】
右折曲片２１は、図１で示すように、化粧板部１の右下から連続した板体で平行四辺形を形成している部分である。右折曲片２１は、図１、図２に示すように、切り込みイ’’部に相当する右上縁部２１１と図１のｂ線に相当する左上縁部２１２を有している。右折曲片２１は、図１のａ線に相当する化粧板部１の右下辺１Ｒｄから化粧板部１の背面側であり、化粧板部１の左上辺１Ｌｕ方向に折れ曲がっている。この折れ曲っている部分が図４（ａ）に示す屈曲部２１Ｋを形成する。
【００４５】
ここで屈曲部とは、屈曲面を備えた部分で、屈曲面は外側と内側の両面を含む。
【００４６】
右折曲片２１は、化粧板部１の右下辺１Ｒｄの幅に亘って折れ曲っている。これは、右下辺１Ｒｄによって形成される屈曲部２１Ｋを連続させて雨水が流れる溝を形成するためである。すなわち、本屋根板の化粧面１Ｆから上段に位置する他の屋根板の左係止部３へ浸入し、本屋根板の化粧面１Ｆの背面側へ回り込み、他の屋根板の左折返片３２に至った雨水を屈曲部２１Ｋ（内側）で受けて後述する切れ目５から排出するためである。この点については、さらに後述する。
【００４７】
右折曲片２１が化粧板部１の下角部１Ｄから折り曲げられた位置には、すなわち、屈曲部２１Ｋの下端には後述する左折曲片３１との間に切れ目５が形成されている。この切れ目５により、化粧板部１の背面側で屈曲部２１Ｋ（内側）が受けとった雨水を他の屋根板の化粧面１Ｆ上に排出することができる。
【００４８】
右折返片２２は、図１、図３で示すように、右折曲片２１から連続した板体で五角形を形成している部分である。右折返片２２は、右折曲片２１から化粧板部１の側とは反対側であり、化粧板部１の右下辺１Ｒｄ方向に折り返している。この折り返している部分が図４（ａ）に示す屈曲部２２Ｋを形成する。
【００４９】
右折返片２２は、右折曲片２１の左上縁部２１２の幅に亘って（図１のｂ線に相当する。）折り返している。これにより、右折曲片２１と相まって化粧板部１から右係止部２へ浸入する雨水を他の屋根板の化粧面１Ｆの背面側へ回り込ませて、他の屋根板の右折返片２２で受けることができる。また、屈曲部２２Ｋも右折曲片２１の左上縁部２１２の幅に亘って形成され、後述するように挿入される他の化粧板部１を位置決めすることができる。
【００５０】
右折返片２２が右折曲片２１から折り返して形成される右折返辺２２Ｒは、化粧板部１の右下辺１Ｒｄと平行である。これにより、右折返辺２２Ｒによって形成される屈曲部２２Ｋは右下辺１Ｒｄと平行に形成される。このため、右係止部２の隙間２００に挿入した他の屋根板の左上辺１Ｌｕが左上縁部２１２の幅に亘って形成された屈曲部２２Ｋに当接すれば係止する位置が容易に決まる。また、本屋根板の化粧板部１の右下辺１Ｒｄと他の屋根板の化粧板部１の右下辺１Ｒｄとを平行に位置させることができる。このため、菱形の美観が整った化粧面１Ｆとなる。
【００５１】
右折返辺２２Ｒと右下辺１Ｒｄの間の、平行切欠辺の方向における間隔、すなわち、図２におけるａ１の幅は切欠辺４１の長さに等しい。これにより、他の屋根板の化粧板部１が右係止部２の隙間２００に挿入される幅を平行切欠辺の幅に全て統一することができる。このため、屋根板を葺いた後の化粧面１Ｆの左上と右下で形成される菱形の美観が整ったものとなる。
【００５２】
右折返片２２は、右上縁部２２１、右下縁部２２２、右上縁部２２１と平行な左下縁部２２３を有している。この右折返片２２は、平面視で、右下辺１Ｒｄから右下方向へ突出している。すなわち、平面視で、右上縁部２２１、右下縁部２２２及び左下縁部２２３が右下辺１Ｒｄより右下方向に位置している。これにより、突出した右折返片２２にパッキン付きビス、防水釘などの従来の固定手段を用いて本屋根板を野地面に固定することができる。また、左下縁部２２３は、他の屋根板に係止されると後述する他の屋根板の屈曲部３１Ｋに位置して雨水を屈曲部３１Ｋに渡すことができる。
【００５３】
右折返片２２は、右折返片２２の化粧板部１の側の表面（以下、「右折返片表面」という。）２２Ｆに右折返片２２の右縁側から左縁側に雨水を導くための右溝２３を備えている。これにより、右折返片表面２２Ｆに至った雨水は他の屋根板の屈曲部３１Ｋに渡り、路地面に流れ出ない。
【００５４】
右折返片２２は、図４（ａ）に示すように、右下縁部２２２に右折返片表面２２Ｆから突出する第一突条２３１を備え、右折返片表面２２Ｆと第一突条２３１との角部が右溝２３を構成している。この角部とは、図４（ａ）で右下縁部２２２が折り返して仇折りを形成している部分である。これにより、第一突条２３１が堤防となり、雨水は右折返片表面２２Ｆから野地面に流れ出るのを防ぐ。本実施態様では第一突条２３１は、右折返片２２の右下縁部２２２を折り返して構成しているが、シリコン樹脂又はゴムなどからなるホットメルト材を突条に形成して固着し構成することもできる。
【００５５】
左係止部３は、図１、図２、図３、図４（ｂ）に示すように、他の屋根板を、平面視で左方向（以下、「左方向」という。）の下側より係止する部分である。図1に示すように、左係止部３は、ａ’線で折り曲げられる左折曲片３１と、ｂ’線で折り返される左折返片３２とを備えている。左下方向から係止される他の屋根板は、この左折曲片３１と左折返片３２とが折り重なっている隙間３００に化粧板部１の右上辺１Ｒｕを挿入して位置させる。
【００５６】
左折曲片３１は、図１で示すように、化粧板部１から連続した板体で二辺が平行な四角形を形成している部分である。左折曲片３１は、図１、図２に示すように、図１のｂ’線に相当する左上縁部３１２を有している。左折曲片３１は、図１のａ’線に相当する化粧板部１の左下辺１Ｌｄから化粧板部１の背面側であり、化粧板部１の右上辺１Ｒｕ方向に折り曲がっている。この折れ曲っている部分が図４（ｂ）に示す屈曲部３１Ｋを形成する。
【００５７】
左折曲片３１は、化粧板部１の左下辺１Ｌｄの幅に亘って折れ曲っている。これは、左下辺１Ｌｄによって形成された屈曲部３１Ｋを連続させて雨水が流れる溝を形成するためである。すなわち、化粧面１Ｆから上段に位置する他の屋根板の右係止部２へ浸入し、本屋根板の化粧面１Ｆの背面側へ回り込み、他の屋根板の右折返片２２で受けた雨水を屈曲部３１Ｋ（内側）で受けて、後述する切れ目５から排出するためである。この点については、さらに後述する。
【００５８】
左折曲片３１が化粧板部１の下角部１Ｄから折り曲げられた位置には、上述のとおり、右折曲片２１との間に切れ目５が形成されていて、屈曲部３１Ｋが受け取った雨水を他の屋根板の化粧面１Ｆ上に排出することができる。
【００５９】
左折返片３２は、図１、図３で示すように、左折曲片３１から連続した板体で五角形を形成している部分である。左折返片３２は、左折曲片３１から化粧板部１の側とは反対側であり、化粧板部１の左下辺１Ｌｄ方向に折り返している。この折り返している部分が屈曲部３２Ｋを形成する。
【００６０】
左折返片３２は、左折曲片３１の右上縁部３１２の幅に亘って（図１のｂ’線に相当する。）折り返している。これにより、上述した左折曲片３１と相まって化粧板部１から左係止部３へ浸入する雨水を他の屋根板の化粧面１Ｆの背面側へ回り込ませて、左折返片３２で受け、野地面に至らせないようにできる。また、屈曲部３２Ｋも右上縁部３１２の幅に亘って形成され、後述するように挿入される他の化粧板部１の位置を特定することができる。
【００６１】
左折返片３２が左折曲片３１から折り返して形成される左折返辺３２Ｒは、化粧板部１の左下辺１Ｌｄと平行である。これにより、左折返辺３２Ｒによって形成される屈曲部３２Ｋは左下辺１Ｌｄと平行に形成される。このため、左係止部３の隙間３００に挿入した他の屋根板の右上辺１Ｒｕが右上縁部３１２の幅に亘って形成された屈曲部３２Ｋに当接すれば係止する位置が容易に決まる。また、本屋根板の化粧板部１の左下辺１Ｌｄと他の屋根板の化粧板部１の左下辺１Ｌｄとを平行に位置させることができる。このため、菱形の美観が整った化粧面１Ｆとなる。
【００６２】
左折返辺３２Ｒと左下辺１Ｌｄの間の、平行切欠辺の方向における間隔、すなわち、図２に示すａ２の幅は切欠辺４１の長さに等しい。これにより、他の屋根板の化粧板部１が左係止部３で係止される幅を平行切欠辺の幅に全て統一することができる。このため、屋根板を葺いた後の化粧面１Ｆの右上と左下で形成される菱形の美観が整ったものとなる。
【００６３】
左折返片３２は、左折返片３２の左上縁部３２１、左下縁部３２２及び右縁部の左上縁部３２１と平行な右下縁部３２３を有している。この左折返片３２は、平面視で左下辺１Ｌｄから左下方向へ突出している。すなわち、平面視で、左上縁部３２１、左下縁部３２２及び右下縁部３２３が左下辺１Ｌｄより左下方向に現れている。これにより、突出した左折返片３２にパッキン付きビス、防水釘などの従来の固定手段を用いて本屋根板を野地面に固定することができる。また、右下縁部３２３は、他の屋根板に係止されると他の屋根板の屈曲部２１Ｋに位置して雨水を屈曲部２１Ｋに渡すことができる。
【００６４】
左折返片３２は、左折返片３２の化粧板部１の側の表面（以下、「左折返片表面」という。）３２Ｆに左折返片３２の左縁側から右縁側に雨水を導くための左溝３３を備えている。これにより、左折返片表面３２Ｆに至った雨水は屈曲部２１Ｋに至り、野地面に流れ出ない。
【００６５】
左折返片３２は、図４（ｂ）に示すように、左下縁部３２２に左折返片表面３２Ｆから突出する第二突条３３１を備え、左折返片表面３２Ｆと第二突条３３１との角部が左溝３３を構成している。この角部とは、図４（ｂ）で左下縁部３２２が折り返して仇折りを形成している部分である。これにより、第二突条３３１が堤防となり、雨水が左折返片表面３２Ｆから野地面に流れ出るのを防ぐ。本実施態様では第二突条３３１は、左折返片３２の左下縁部３２２を折り返して形成しているが、シリコン樹脂又はゴムなどからなるホットメルト材を突条に形成して固着し構成することもできる。
【００６６】
係止溝部４は、図５に示すように、切欠辺４１を成す化粧板部１と化粧板部１の右下辺１Ｒｄより折り曲げた右折曲片２１の右縁部とから構成されている。係止溝部４は、他の屋根板を、他の屋根板の左角部１Ｌで、平面視で右方向（以下、「右方向」という。）より係止する部分である。具体的には、切欠辺４１と右折曲片２１の右縁部の右上縁部２１１との隙間４００に他の屋根板の左角部１Ｌを挿入して位置させることで係止する。この場合、化粧板部１の左角部１Ｌの裏側に位置する左折曲片３１の左角部と共に係止させる。
【００６７】
左折返片３２の左上縁部３２１と左折曲片３１の左上縁部３１１は、図２、図５に示すように、平面視で、化粧板部１の左上辺１Ｌｕの延長線上で互いに重なっている。これにより、左角部１Ｌの挿入幅が左折返片３２で決定できる。すなわち、他の屋根板の左角部１Ｌが係止されるとき、左折返片３２が係止する屋根板の右折曲片２１と右折返片２２との隙間２００に挿入され、左上縁部３２１が屈曲部２２Ｋ（内側）に当接することによる。
【００６８】
切欠辺４１は、図５に示すように、化粧板部１の上角部１Ｕから下角部１Ｄに引いた対角線（以下、「縦対角線」という。）と平行な平行切欠辺である。これにより、右方向から他の屋根板の左角部１Ｌを挿入するときに、他の屋根板の縦対角線と平行切欠辺とが平行になるように挿入すれば他の屋根板の傾きを防ぐことができる。また、切欠辺４１を平行切欠辺とすることで辺の長さを最も短くし、切欠辺４１から浸入する雨水を極力防ぐことができる。
【００６９】
また、右折曲片２１の右上縁部２１１は、切欠辺４１の長さと方向が等しい。これにより、係止溝部４は、右方向へＵ字状若しくはＶ字状に開口している。このため、他の屋根板の左角部１Ｌを挿入する位置を特定し易い。
【００７０】
なお、この切欠辺４１は、後述する上段の他の屋根板の化粧板部１の背面側に隠される位置にある。このため、化粧板部１の化粧面１Ｆの側から直接雨水が当たることがなく、菱形の化粧面１Ｆのみが見える状態となる。
【００７１】
次に、図６〜１３を参照して、上記の構成の屋根板を野地面に設置する屋根板の葺き方法及び屋根構造について説明する。なお、本発明は、図に示す構造に限定されるものではない。
【００７２】
図６は、本屋根板を屋根の野地面全体に葺いた状態の建築物の屋根部分を示す。同一の大きさの菱形形状がきれいに並ぶ屋根となる。本屋根板は棟から軒先に向けて上から順に葺くことができる。したがって、屋根板の葺き作業において危険が少ない。なお、棟の部分では、桁方向に連続している本屋根板の切欠辺４１の下端部で表側に折り曲げて棟包み５０などによって固定する。
【００７３】
図６に示すＡ〜Ｄは、それぞれ後述する第一〜第四屋根板に対応する。第一〜第四屋根板は、桁方向及び梁方向に隣接して連結される屋根板であって、全て同じ形状構成からなる屋根板を意味する。説明の便宜上、第一〜第四屋根板と称するが、それぞれの屋根板を区別するためであって施工の順番を示すものではない。以下、第一屋根板をＡ、第二屋根板をＢ、第三屋根板をＣ、第四屋根板をＤとして取り出して屋根板の葺き方法及び屋根構造について説明する。他の屋根板も全て同じ方法で葺かれ、同じ屋根構造となる。
【００７４】
まず、屋根板を桁方向に係止する工程で屋根板の葺き方法及び屋根構造について説明する。
【００７５】
図７に示すように、第一屋根板Ａの化粧板部１の左上辺１Ｌｕ及び右上辺１Ｒｕを屋根の棟方向に、化粧板部１の左下辺１Ｌｄ及び右下辺１Ｒｄを屋根の軒先方向に向けて第一屋根板Ａを野地面に設置する。設置する際に、左折返片表面３２Ｆの上部及び右折返片表面２２Ｆの上部でパッキン付きビス、防水釘などの固定手段を用いて野地面に固定する。なお、この段階で化粧板部１の左角部１Ｌは、既に他の屋根板の係止溝部４に係止されている。
【００７６】
次に、図８に示すように、第一屋根板Ａの係止溝部４に第二屋根板Ｂの化粧板部１の左角部１Ｌを係止する屋根構造とする。この構造により、吊子を用いずに、第二屋根板Ｂを右方向へ係止する位置が容易に決定される。
【００７７】
具体的には、図８及び図８の下の図におけるＣ−Ｃ部の断面を示す図９に示すように、第一屋根板Ａの切欠辺４１を成す化粧板部１と右折曲片２１の右上縁部２１１との隙間４００に第二屋根板Ｂの化粧板部１の左角部１Ｌが位置する屋根構造とする。この構造により、隙間４００に挿入するだけで第二屋根板Ｂの位置が容易に決定される。
【００７８】
この場合、第一屋根板Ａの右折返片２２が右折曲片２１から折り返される屈曲部２２Ｋに、第二屋根板Ｂの左折返片３２が当接し、かつ、第一屋根板Ａの化粧板部１の右下辺１Ｒｄから化粧板部１の背面側に折り曲がる屈曲部２１Ｋに、第二屋根板Ｂの化粧板部１の左下辺１Ｌｄから化粧板部１の背面側に折り曲がる屈曲部３１Ｋが当接する屋根構造とすることができる。この構造により、第二屋根板Ｂを挿入できる幅が特定され、第二屋根板Ｂの位置が容易に決定される。すなわち、左角部１Ｌを、上記隙間４００に挿入すると、第二屋根板Ｂの左折返片３２の左上縁部３２１が屈曲部２２Ｋ（内側）に当接し、それ以上の挿入が遮られ、第二屋根板Ｂの屈曲部３１Ｋについても、隙間４００に挿入すると屈曲部２１Ｋ（内側）に当接し、それ以上の挿入が遮られるからである。図８の上の図で第二屋根板Ｂの薄墨部分が第一屋根板Ａに隠れることとなる。
【００７９】
第二屋根板Ｂを係止した後、第二屋根板Ｂの右折返片表面２２Ｆの上部でパッキン付きビス、防水釘などの固定手段を用いて第二屋根板Ｂを野地面に固定する。
【００８０】
そして、順次、係止された第二屋根板Ｂを他の屋根板が係止する第一屋根板Ａに置き換えて、右方向にけらばに達するまで係止する。なお、棟及びけらばにおいては本屋根板を折り曲げて棟包み５０やけらば包みなどを使って施工する。その詳細については説明を省略する。
【００８１】
次に、桁方向へ全て本屋根板を設置した後の工程で屋根板の葺き方法及び屋根構造について説明する。
【００８２】
桁方向へ本屋根板を設置した後は、既に設置した本屋根板に他の屋根板を軒先方向から係止させる。図１０及び図１０の下の図におけるＤ−Ｄ部の断面を示す図１１に示すように、第一屋根板Ａの右係止部２に第三屋根板Ｃの化粧板部１の左上縁部１０Ｌを係止し、第二屋根板Ｂの左係止部３に第三屋根板Ｃの化粧板部１の右上縁部１０Ｒを係止する屋根構造として、第三屋根板Ｃを野地面に設置する。この構造により、吊子を用いずに、第三屋根板Ｃを軒先方向から係止する位置が容易に決定される。
【００８３】
具体的には、図１０及び図１１に示すように、第一屋根板Ａの右折曲片２１と右折返片２２との隙間２００に第三屋根板Ｃの化粧板部１の左上縁部１０Ｌが位置し、第二屋根板Ｂの左折曲片３１と左折返片３２との隙間３００に第三屋根板Ｃの化粧板部１の右上縁部１０Ｒが位置する屋根構造とする。この構造により、第三屋根板Ｃの化粧板部１を隙間２００と隙間３００に挿入するだけで第三屋根板Ｃの位置が決定される。
【００８４】
この構造の場合、第一屋根板Ａの右折返片２２が右折曲片２１から折り返えす屈曲部２２Ｋに、第三屋根板Ｃの化粧板部１の左上縁部１０Ｌが当接し、第二屋根板Ｂの左折返片３２が左折曲片３１から折り返えす屈曲部３２Ｋに、第三屋根板Ｃの化粧板部１の右上縁部１０Ｒが当接する屋根構造とすることができる。この構造により、第三屋根板Ｃを挿入できる幅が特定され、第三屋根板Ｃが容易に位置決めされる。すなわち、左上縁部１０Ｌを上記隙間２００に挿入すると屈曲部２２Ｋに当接し、それ以上の挿入が遮られ、右上縁部１０Ｒを上記隙間３００に挿入すると屈曲部３２Ｋに当接し、それ以上の挿入が遮られるからである。図１０の上の図で第三屋根板Ｃの薄墨部分が第一屋根板Ａに係止される。この部分は切欠辺４１の幅に統一されて、第三屋根板Ｃの化粧面１Ｆは菱形に整った状態に現れる。
【００８５】
第三屋根板Ｃを係止した後、第三屋根板Ｃの左折返片表面３２Ｆの上部及び右折返片表面２２Ｆの上部でパッキン付きビス、防水釘などの固定手段を用いて野地面に固定する。なお、この段階で左角部１Ｌは、既に他の屋根板の係止溝部４に係止されている。
【００８６】
第三屋根板Ｃを第一屋根板Ａ及び第二屋根板Ｂに係止する際、第一屋根板Ａの右折返片２２が、第三屋根板Ｃの化粧板部１と左折曲片３１との隙間に位置し、第二屋根板Ｂの左折返片３２が、第三屋根板Ｃの化粧板部１と右折曲片２１との隙間に位置する構造とする。この構造により、第一屋根板Ａの右折返片表面２２Ｆの雨水は、左下縁部２２３を経て第三屋根板Ｃの左折曲片３１の化粧板部１の側の表面（以下、左折曲片３１の化粧板部１の側の表面を「左折曲片表面」という。）３１Ｆ又は屈曲部３１Ｋ（内側）に流される。また、第二屋根板Ｂの左折返片表面３２Ｆの雨水は、右下縁部３２３を経て第三屋根板Ｃの右折曲片２１の化粧板部１の側の表面（以下、右折曲片２１の化粧板部１の側の表面を「右折曲片表面」という。）２１Ｆ又は屈曲部２１Ｋ（内側）に流される。その後、雨水は、屈曲部３１Ｋ又は屈曲部２１Ｋにより、切れ目５に至り他の屋根板の化粧面１Ｆ上に排出する。
【００８７】
最後に、桁方向へ設置された本屋根板（第一屋根板Ａ及び第二屋根板Ｂ）とその上段に既に設置されている本屋根板（第四屋根板Ｄ）との屋根構造を説明する。
【００８８】
図１２に示すように、桁方向へ設置された本屋根板（第一屋根板Ａ及び第二屋根板Ｂ）とその上段に設置されている本屋根板（第四屋根板Ｄ）とは、第四屋根板Ｄの左係止部３に第一屋根板Ａの化粧板部１の右上縁部１０Ｒが係止し、第四屋根板Ｄの右係止部２に第二屋根板Ｂの化粧板部の左上縁部１０Ｌが係止する屋根構造となる。この構造により、図１２の上の図における第一屋根板Ａ及び第二屋根板Ｂを、図１２の下の図のように第四屋根板Ｄと吊子を用いずに梁方向へ連結する位置が容易に決定される。
【００８９】
具体的には、図１２及び図１２の下の図におけるＥ−Ｅ部の断面を示す図１３に示すように、第四屋根板Ｄの左折曲片３１と左折返片３２との隙間３００に第一屋根板Ａの化粧板部１の右上縁部１０Ｒが位置し、第四屋根板Ｄの左折返片３２の右下縁部３２３が第一屋根板Ａの右折曲片２１と第一屋根板Ａの化粧板部１との隙間に位置し、第四屋根板Ｄの右折曲片２１と右折返片２２との隙間２００に第二屋根板Ｂの化粧板部１の左上縁部１０Ｌが位置し、第四屋根板Ｄの右折返片２２の左下縁部２２３が第二屋根板Ｂの左折曲片３１と第一屋根板Ａの化粧板部１との隙間に位置する屋根構造となる。
【００９０】
この構造により、第一屋根板Ａ及び第二屋根板Ｂを第四屋根板Ｄの隙間２００と隙間３００に挿入するだけで第一屋根板Ａ及び第二屋根板Ｂの位置が決定される。
【００９１】
また、この構造により、第四屋根板Ｄの左折返片表面３２Ｆの雨水は、右下縁部３２３を経て第一屋根板Ａの右折曲片表面２１Ｆ又は屈曲部２１Ｋに導かれる。第四屋根板Ｄの右折返片表面２２Ｆの雨水は、左下縁部２２３を経て第二屋根板Ｂの左折曲片表面３１Ｆ又は屈曲部３１Ｋに導かれる。その後、雨水は、切れ目５から他の屋根板の化粧面１Ｆ上に排出することができる。
【００９２】
この構造の場合、第四屋根板Ｄの左折返片３２が左折曲片３１から折り返えす屈曲部３２Ｋに第一屋根板Ａの化粧板部１の右上縁部１０Ｒが当接し、第四屋根板Ｄの左折返片３２の右下縁部３２３が第一屋根板Ａの化粧板部１の右下辺１Ｒｄから化粧板部１の背面側に折り曲がる屈曲部２１Ｋに当接し、かつ、第四屋根板Ｄの右折返片２２が右折曲片２１から折り返えす屈曲部２２Ｋに第二屋根板Ｂの化粧板部１の左上縁部１０Ｌが当接し、第四屋根板Ｄの右折返片２２の左下縁部２２３が第一屋根板Ａの化粧板部１の左下辺１Ｌｄから化粧板部１の背面側に折曲がる屈曲部２１Ｋに当接する屋根構造とすることができる。
【００９３】
この構造により、第一屋根板Ａ及び第二屋根板Ｂが挿入できる幅が特定され、第一屋根板Ａと第二屋根板Ｂの位置が容易に決定される。すなわち、第一屋根板Ａの右上縁部１０Ｒを上記隙間３００に挿入すると屈曲部３２Ｋに当接し、それ以上の挿入が遮られ、第二屋根板Ｂの左上縁部１０Ｌを上記隙間２００に挿入すると屈曲部２２Ｋに当接し、それ以上の挿入が遮られるからである。
【００９４】
また、このように挿入される部位が屈曲部３２Ｋ、２２Ｋに当接することで係止される屋根板の位置が一定となる。図１２の上の図に示す第一屋根板Ａ及び第二屋根板Ｂの薄墨部分が第四屋根板Ｄの化粧板部１の下に隠れる。また、第一屋根板Ａの切欠辺４１も第四屋根板Ｄの化粧板部１の下に隠れる。この場合、第四屋根板Ｄの右下辺１Ｒｄは、第一屋根板Ａの右下辺１Ｒｄと平面視で同一線上に位置する。また、第四屋根板Ｄの左下辺１Ｌｄは、第二屋根板Ｂの左下辺１Ｌｄと平面視で同一線上に位置する。これにより、従来の菱葺き屋根板に見られるような、化粧板部１の下角部１ＤがＶ字状の輪郭を呈して他の屋根板の化粧面を覆う、ということはなく、図６に示すように、きれいに菱形が並ぶ屋根板を葺くことができる。
【００９５】
次に、図１４及び図１５を参照して、本菱葺き屋根板を屋根に葺いた後の、雨水の主な流れについて説明する。
【００９６】
通常、化粧板部１の表面に付着した雨水は上段の本屋根板から下段の本屋根板の表面を伝って流れる。しかしながら、風が強い場合などには本屋根板のあらゆる結合部分から雨水が浸入する場合がある。本屋根板はどのような場合でも野地面に雨水を至らせないように構成したものである。
【００９７】
図１４に示す帯状部は、第一屋根板Ａの切欠辺４１と第二屋根板Ｂの化粧板部１との隙間から入る雨水の流れを示したものである。この隙間から入った雨水は、第一屋根板Ａの右折曲片表面２１Ｆ又は屈曲部２１Ｋを経て、切れ目５から他の屋根板の化粧面１Ｆに排出される。
【００９８】
図１５に示す帯状部は、図１５の中央下に位置する第三屋根板Ｃの化粧板部１から上段に位置する第一屋根板Ａの右係止部２又は第二屋根板Ｂの左係止部３に入った雨水の流れを示したものである。図１５に示す左側の帯状部について以下、説明する。
【００９９】
まず、第三屋根板Ｃの化粧面１Ｆの雨水が左上段に位置する第一屋根板Ａの屈曲部２２Ｋに至った場合を想定する。
【０１００】
雨水は、第三屋根板Ｃの化粧板部１の左上縁部１０Ｌの背面、すなわち第一屋根板Ａの右折返片表面２２Ｆに回り込む。その雨水は、その右折返片表面２２Ｆから重力方向である軒先方向へ向かう。そして、第一屋根板Ａの右折返片２２の左下縁部２２３に至る。ここで、左下縁部２２３は、第三屋根板Ｃの化粧板部１と左折曲片表面３１Ｆの間に位置しているので、雨水は、第三屋根板Ｃの左折曲片表面３１Ｆ又は屈曲部３１Ｋを経て、切れ目５から他の屋根板の化粧面１Ｆに排出される。図１５に示す右側の矢印についても左側の矢印と対称の流れとなる。すなわち、第二屋根板Ｂの屈曲部３２Ｋ、左折返片表面３２Ｆ、右下縁部３２３、第三屋根板Ｃの右折曲片表面２１Ｆ又は屈曲部２１Ｋを経て、切れ目５から他の屋根板の化粧面１Ｆに排出される。これにより、表側の雨水は全て野地面に至ることはない。
【０１０１】
次に、本屋根板の背面側に付着した雨水について説明する。
【０１０２】
化粧板部１の背面側に付着したものは、その背面を伝って、屈曲部３１Ｋ又は屈曲部２１Ｋを経て切れ目５より、別の化粧板部１の表面に排出される。左折返片３２又は右折返片２２の背面側に付着したものは、その背面を伝って、左折返片３２の右下縁部３２３又は右折返片２１の左下縁部２２３を経て、他の屋根板の右折曲片表面２１Ｆ又は屈曲部２１Ｋ、又は左折曲片表面３１Ｆ又は屈曲部３１Ｋを経て、切れ目５から他の屋根板の化粧面１Ｆに排出される。
【０１０３】
なお、図１６又は図１７で示すように、右折曲片２１の左上縁部２１２は化粧板部１の側に突出する第三突条２４を成し、左折曲片３１の右上縁部３１２は化粧板部１の側に突出する第四突条３４を成すこともできる。これは、屋根の傾斜が緩く、右折曲片表面２１Ｆ又は左折曲片表面３１Ｆが水平若しくは野地面に向けて傾斜していると、野地面に雨水が流れるおそれがある場合に備えるものである。図１６（ａ）は、右折曲片２１を折り曲げて第三突条２４を形成し、図１６（ｂ）は、左折曲片３１を折り曲げて第四突条３４を形成したものである。図１７（ａ）は右折曲片２１の左上縁部２１２に、図１７（ｂ）は左折曲片３１の左上縁部３１２に、それぞれシリコン樹脂又はゴムなどからなるホットメルト材を塗布して突条２４、３４を形成したものである。
【０１０４】
本発明の第二実施形態を図１８、図１９に示す。この実施形態は、図１８に示すとおり、屋根板１０１の上辺に水返し片６０、６１を形成したものである。図１９の展開図に示すように、水返し片６０、６１は、図１に示す屋根板１０１の上角部のハ部を切り欠いて形成された辺ハ’の中央から右上辺と平行な破線ｄと左上辺と平行な破線ｄ’の位置で化粧板部１の表側へ折り返して形成したものである。
【０１０５】
水返し片６０は、化粧板部１の上端から切欠辺４１部までの間で形成されている。水返し片６１は、化粧板部１の上端から左下辺に至るまで連続して形成されている。これにより、化粧面１Ｆから図１５の帯状部で示す上段の第一屋根板Ａ、第二屋根板Ｂの屈曲部２２Ｋ、３２Ｋに向かう雨水の浸入を妨げることができる。なお、水返し片６０、６１の代わりに、屋根板１０１の右上辺及び左上辺の付近を表側に折り曲げてなる突条をそれぞれ形成することもできる。また、屋根板１０１の右上辺及び左上辺の付近にシリコン樹脂又はゴムなどからなるホットメルト材を塗布して突条を形成することもできる。
【０１０６】
以上説明したように、本発明によれば、菱葺き屋根板の葺き作業において、吊子を用いずに、屋根板の位置決めが容易な菱葺き屋根板及びその屋根板を用いた屋根構造並びに葺き方法を提供することができる。また、本発明によれば、どのような状況でも野地面に雨水を流すことを防ぐことができる。なお、本発明による屋根板を内壁材や外壁材として用いることもできる。
【符号の説明】
【０１０７】
１  化粧板部
１Ｆ  化粧面
１０Ｌ  化粧板部の左上縁部
１０Ｒ  化粧板部の右上縁部
１Ｒｄ  化粧板部の右下辺
１Ｌｄ  化粧板部の左下辺
１Ｒｕ  化粧板部の右上辺
１Ｌｕ  化粧板部の左上辺
１Ｕ  化粧板部の上角部
１Ｄ  化粧板部の下角部
１Ｒ  化粧板部の右角部
１Ｌ  化粧板部の左角部
２  右係止部
２１  右折曲片
２１１  右折曲片の右上縁部
２１２  右折曲片の左上縁部
２１Ｋ  屈曲部
２１Ｆ  右折曲片表面
２２  右折返片
２２１  右折返片の右上縁部
２２２  右折返片の右下縁部
２２３  右折返片の左下縁部
２２Ｒ  右折返辺
２２Ｋ  屈曲部
２２Ｆ  右折返片表面
２３  右溝
２３１  第一突条
２４  第三突条
３  左係止部
３１  左折曲片
３１１  左折曲片の左上縁部
３１２  左折曲片の右上縁部
３１Ｋ  屈曲部
３１Ｆ  左折曲片表面
３２  左折返片
３２１  左折返片の左上縁部
３２２  左折返片の左下縁部
３２３  左折返片の右下縁部
３２Ｒ  左折返辺
３２Ｋ  屈曲部
３２Ｆ  左折返片表面
３３  左溝
３３１  第二突状
３４  第四突条
４  係止溝部
４１  切欠辺
５  切れ目
６０、６１  水返し片
５０  棟包み
１００  金属板
１０１  屋根板
２００，３００，４００  隙間
ａ，ｂ，ｃ，ｄ，ａ’，ｂ’，ｃ’，ｄ’  破線
ａ１  右折曲片の幅
ｂ１  左折曲片の幅
イ、ロ、ハ  切り欠き部
イ’、イ’’  切り込み
ハ’  切り欠き辺
ロ’  ａ線と金属板の上下対角線との交点
【図１】
2017014826.tif 000003
【図２】
2017014826.tif 000004
【図３】
2017014826.tif 000005
【図４】
2017014826.tif 000006
【図５】
2017014826.tif 000007
【図６】
2017014826.tif 000008
【図７】
2017014826.tif 000009
【図８】
2017014826.tif 000010
【図９】
2017014826.tif 000011
【図１０】
2017014826.tif 000012
【図１１】
2017014826.tif 000013
【図１２】
2017014826.tif 000014
【図１３】
2017014826.tif 000015
【図１４】
2017014826.tif 000016
【図１５】
2017014826.tif 000017
【図１６】
2017014826.tif 000018
【図１７】
2017014826.tif 000019
【図１８】
2017014826.tif 000020
【図１９】
2017014826.tif 000021